(57)【要約】【課題】複数の端末装置間で通信するための同期のための複雑な制御が不要な、携帯電話の通信機能を有する複数の端末装置の加入者情報を管理するセンサデータ収集システムを提供する。【解決手段】センサデータ収集システム１は、携帯電話の通信機能を有する複数の端末装置１１からのセンサデータを、携帯電話網１３を介して、収集する。センサデータ収集システム１は、加入者別の端末識別子／加入者識別子対応テーブルTBL1と、加入者別の携帯電話番号情報テーブルTBL2と、通信状態管理テーブルTBL3と、動的紐付け制御部５１と、データ収集サーバ１２とを含む。動的紐付け制御部５１は、端末識別子／加入者識別子対応テーブルTBL1と、加入者別の携帯電話番号情報テーブルTBL2と、通信状態管理テーブルTBL3とに基づいて、加入者識別子情報（IMSI）と呼び出し番号情報（MSISDN）との対応付けを動的に変更する制御を行う。【選択図】図１
2015019154.tif 000002
【特許請求の範囲】
【請求項１】
携帯電話の通信機能を有してセンサデータを送信する複数の端末装置の携帯電話網への加入者の加入者情報を管理する加入者情報管理方法であって、
グループ毎に前記携帯電話網への１又は２以上の加入者が割り当てられた複数のグループについての前記携帯電話の端末識別子情報と加入者識別子情報を登録し、かつ前記複数のグループのうち少なくとも１つのグループは２以上の前記携帯電話の端末識別子情報と加入者識別子情報とを含む、加入者識別子情報登録部と、
前記各グループに割り当てられた１又は２以上呼び出し番号情報を登録する加入者呼び出し番号情報登録部と、
前記呼び出し番号情報毎の前記携帯電話網の回線の使用状況を登録する呼び出し番号使用状態登録部と、
を備え、
前記加入者情報を管理する加入者管理装置における前記加入者識別子情報と前記呼び出し番号情報との対応付けを、前記加入者識別子情報登録部と、前記加入者呼び出し番号情報登録部と、前記呼び出し番号使用状態登録部とに基づいて、動的に変更することにより、前記携帯電話網を介して各端末装置からデータ収集装置へ前記センサデータを送信するように制御する、
ことを特徴とする加入者情報管理方法。
【請求項２】
前記携帯電話網への接続要求を送信した端末装置の属するグループに割り当てられた前記呼び出し番号情報の前記回線の使用状況に基づいて、前記接続要求を送信した端末装置に前記回線を割り当てるように、前記加入者識別子情報と前記呼び出し番号情報とを対応付けることにより、前記対応付けを動的に変更することを特徴とする請求項１に記載の加入者情報管理方法。
【請求項３】
前記対応付けを動的に変更する制御部は、前記携帯電話網の移動体通信事業者又は仮想移動体通信事業者の加入者管理サーバに設けられていることを特徴とする請求項１又は２に記載の加入者情報管理方法。
【請求項４】
携帯電話の通信機能を有してセンサデータを送信する複数の端末装置の携帯電話網への加入者の加入者情報を管理する加入者情報管理システムであって、
グループ毎に前記携帯電話網への１又は２以上の加入者が割り当てられた複数のグループについての前記携帯電話の端末識別子情報と加入者識別子情報を登録し、かつ前記複数のグループのうち少なくとも１つのグループは２以上の前記携帯電話の端末識別子情報と加入者識別子情報とを含む、加入者識別子情報登録部と、
前記各グループに割り当てられた１又は２以上呼び出し番号情報を登録する加入者呼び出し番号情報登録部と、
前記呼び出し番号情報毎の前記携帯電話網の回線の使用状況を登録する呼び出し番号使用状態登録部と、
前記加入者識別子情報登録部と、前記加入者呼び出し番号情報登録部と、前記呼び出し番号使用状態登録部とに基づいて、前記加入者識別子情報と前記呼び出し番号情報との対応付けを動的に変更する制御を行う制御部と、
を有することを特徴とする加入者情報管理システム。
【請求項５】
前記制御部は、前記携帯電話網への接続要求を送信した端末装置の属するグループに割り当てられた前記呼び出し番号情報の前記回線の使用状況に基づいて、前記接続要求を送信した端末装置に前記回線を割り当てるように、前記加入者識別子情報と前記呼び出し番号情報とを対応付けることにより、前記対応付けを動的に変更することを特徴とする請求項４に記載の加入者情報管理システム。
【請求項６】
前記制御部は、前記携帯電話網の移動体通信事業者又は仮想移動体通信事業者の加入者管理サーバに設けられていることを特徴とする請求項４又は５に記載の加入者情報管理システム。
【請求項７】
携帯電話の通信機能を有する複数の端末装置からのセンサデータを、携帯電話網を介して、収集するセンサデータ収集システムであって、
グループ毎に前記携帯電話網への１又は２以上の加入者が割り当てられた複数のグループについての前記携帯電話の端末識別子情報と加入者識別子情報を登録し、かつ前記複数のグループのうち少なくとも１つのグループは２以上の前記携帯電話の端末識別子情報と加入者識別子情報とを含む、加入者識別子情報登録部と、
前記各グループに割り当てられた１又は２以上呼び出し番号情報を登録する加入者呼び出し番号情報登録部と、
前記呼び出し番号情報毎の前記携帯電話網の回線の使用状況を登録する呼び出し番号使用状態登録部と、
前記加入者識別子情報登録部と、前記加入者呼び出し番号情報登録部と、前記呼び出し番号使用状態登録部とに基づいて、前記加入者識別子情報と前記呼び出し番号情報との対応付けを動的に変更する制御を行う制御部と、
各端末装置からの前記センサデータを、前記携帯電話網を介して収集するデータ収集装置と、
を有することを特徴とするセンサデータ収集システム。
【請求項８】
前記制御部は、前記携帯電話網への接続要求を送信した端末装置の属するグループに割り当てられた前記呼び出し番号情報の前記回線の使用状況に基づいて、前記接続要求を送信した端末装置に前記回線を割り当てるように、前記加入者識別子情報と前記呼び出し番号情報とを対応付けることにより、前記対応付けを動的に変更することを特徴とする請求項７に記載のセンサデータ収集システム。
【請求項９】
前記各端末装置は、所定の条件に応じて、前記携帯電話網への前記接続要求を送信して、前記センサデータの送信を行うことを特徴とする請求項７又は８に記載のセンサデータ収集システム。
【請求項１０】
前記データ収集装置は、前記各端末装置が前記センサデータを送信する時間を管理する時間管理部を有し、
前記各端末装置は、前記データ収集装置により指定された時に、前記携帯電話網への前記接続要求を送信して、前記センサデータの送信を行うことを特徴とする請求項７又は８に記載のセンサデータ収集システム。
【請求項１１】
前記制御部は、前記携帯電話網の移動体通信事業者又は仮想移動体通信事業者の加入者管理サーバに設けられていることを特徴とする請求項７から１０のいずれか１つに記載のセンサデータ収集システム。
【発明の詳細な説明】
【技術分野】
【０００１】
本発明は、加入者情報管理方法、加入者情報管理システム及びセンサデータ収集システムに関し、例えば、携帯電話網を利用してセンサデータを送信する複数の端末装置の加入者情報を管理する加入者情報管理方法、加入者情報管理システム及びセンサデータ収集システムに関する。
【背景技術】
【０００２】
従来より、遠隔にある複数の機器からのデータを収集するデータ収集システムがある。例えば、センサを有して遠隔に設置された複数の機器のセンサデータを、専用のネットワークを介してセンタ装置が収集するデータ収集システムがある。
【０００３】
このようなシステムでは、遠隔の各機器からのセンサデータをセンタ装置へ伝送できるようにするために、センタ装置と遠隔の複数の機器とは、通信線を介して接続される。プラントなどの限定された施設内のシステムの場合、センタ装置と複数の機器との間に専用線を敷設することは、比較的容易であるが、複数の機器が限定された施設内になく、センタ装置と各機器の間の距離が遠いシステムの場合、所謂専用線の敷設のコストは上昇する。
【０００４】
また、通信回線としてインターネットを利用できれば、通信線の敷設コストを低く抑えることができるが、センタ装置はインターネットと接続可能であったとしても、複数の機器がインターネットとの接続が可能な環境になければ、センサデータをセンタ装置に伝送することはできない。
【０００５】
そこで、通信回線として携帯電話網を利用したシステムが考えられる。そのようなシステムの場合、各機器に携帯電話の機能を付加し、各機器が携帯電話網を利用してセンサデータを送信する。携帯電話網はそのカバーエリアが広いため、携帯電話網を利用すれば、センサデータを送信する機器を設置することができるエリアを、かなり広くすることができる。
【０００６】
しかし、携帯電話の基本使用料は、携帯電話の電話番号（MSISDN）によって定義される回線毎に課金される。従って、常時接続の必要のない、データ送信の頻度が低い、機器からデータを送信するために、携帯電話網を利用することは、機器の数が多いと、回線の基本使用料コストが高くなり、システム全体の固定的な運用コストは膨大なものとなる。
【０００７】
そこで、特開２００４−４０７８３号に開示のように、複数の端末に関連付けられた一意の電話番号により、複数の無線端末間で加入接続を共有するためのシステムも、提案されている。
【０００８】
その提案のシステムによれば、複数の端末に関連付けられた一意の電話番号により、複数の無線電話端末間で加入接続の共有をすることができる。そのために、管理プログラムが、加入接続の範囲内で無線電話ネットワークにアクセスする期間をいくつかのタイムスロットに分割し、端末間でタイムスロットが重複しないように、端末毎に特定のタイムスロットは割り振られる。
【先行技術文献】
【特許文献】
【０００９】
【特許文献１】特開２００４−４０７８３号公報
【発明の概要】
【発明が解決しようとする課題】
【００１０】
しかし、特開２００４−４０７８３号に開示のシステムの場合、複数の端末が無線電話ネットワークにアクセスできるようにするために１つの電話番号を複数の端末間で使い回すため、各端末のクロックが同期サーバのクロックと同期させられ、管理プログラムは、端末毎に特定のタイムスロットを割り付けて、複数の端末のタイムスロットが互いに重複しないようにしなければならない。
【００１１】
そのために、タイムスロットの情報が端末のSIMカードに記録され、複数の端末間で、個々の端末の同期が完全になるように、時間データは管理されなければならず、各端末が無線電話ネットワークにアクセスするための管理プログラムによるタイムスロットの同期のための、日時を含む同期制御が複雑になるという問題がある。
【００１２】
そこで、本発明は、複数の端末装置間で通信するための同期のための複雑な制御が不要な、携帯電話の通信機能を有する複数の端末装置の加入者情報を管理する加入者情報管理方法、加入者情報管理システム及びセンサデータ収集システムを提供することを目的とする。
【課題を解決するための手段】
【００１３】
本発明の一態様の加入者情報管理方法は、携帯電話の通信機能を有してセンサデータを送信する複数の端末装置の携帯電話網への加入者の加入者情報を管理する加入者情報管理方法であって、グループ毎に前記携帯電話網への１又は２以上の加入者が割り当てられた複数のグループについての前記携帯電話の端末識別子情報と加入者識別子情報を登録し、かつ前記複数のグループのうち少なくとも１つのグループは２以上の前記携帯電話の端末識別子情報と加入者識別子情報とを含む、加入者識別子情報登録部と、前記各グループに割り当てられた１又は２以上呼び出し番号情報を登録する加入者呼び出し番号情報登録部と、前記呼び出し番号情報毎の前記携帯電話網の回線の使用状況を登録する呼び出し番号使用状態登録部と、を備え、前記加入者情報を管理する加入者管理装置における前記加入者識別子情報と前記呼び出し番号情報との対応付けを、前記加入者識別子情報登録部と、前記加入者呼び出し番号情報登録部と、前記呼び出し番号使用状態登録部とに基づいて、動的に変更することにより、前記携帯電話網を介して各端末装置からデータ収集装置へ前記センサデータを送信するように制御する。
【００１４】
本発明の一態様の加入者情報管理システムは、携帯電話の通信機能を有してセンサデータを送信する複数の端末装置の携帯電話網への加入者の加入者情報を管理する加入者情報管理システムであって、グループ毎に前記携帯電話網への１又は２以上の加入者が割り当てられた複数のグループについての前記携帯電話の端末識別子情報と加入者識別子情報を登録し、かつ前記複数のグループのうち少なくとも１つのグループは２以上の前記携帯電話の端末識別子情報と加入者識別子情報とを含む、加入者識別子情報登録部と、前記各グループに割り当てられた１又は２以上呼び出し番号情報を登録する加入者呼び出し番号情報登録部と、前記呼び出し番号情報毎の前記携帯電話網の回線の使用状況を登録する呼び出し番号使用状態登録部と、前記加入者識別子情報登録部と、前記加入者呼び出し番号情報登録部と、前記呼び出し番号使用状態登録部とに基づいて、前記加入者識別子情報と前記呼び出し番号情報との対応付けを動的に変更する制御を行う制御部と、を有する。
【００１５】
本発明の一態様のセンサデータ収集システムは、携帯電話の通信機能を有する複数の端末装置からのセンサデータを、携帯電話網を介して、収集するセンサデータ収集システムであって、グループ毎に前記携帯電話網への１又は２以上の加入者が割り当てられた複数のグループについての前記携帯電話の端末識別子情報と加入者識別子情報を登録し、かつ前記複数のグループのうち少なくとも１つのグループは２以上の前記携帯電話の端末識別子情報と加入者識別子情報とを含む、加入者識別子情報登録部と、前記各グループに割り当てられた１又は２以上呼び出し番号情報を登録する加入者呼び出し番号情報登録部と、前記呼び出し番号情報毎の前記携帯電話網の回線の使用状況を登録する呼び出し番号使用状態登録部と、前記加入者識別子情報登録部と、前記加入者呼び出し番号情報登録部と、前記呼び出し番号使用状態登録部とに基づいて、前記加入者識別子情報と前記呼び出し番号情報との対応付けを動的に変更する制御を行う制御部と、各端末装置からの前記センサデータを、前記携帯電話網を介して収集するデータ収集装置と、を有する。
【発明の効果】
【００１６】
本発明によれば、複数の端末装置間で通信するための同期のための複雑な制御が不要な、携帯電話の通信機能を有する複数の端末装置の加入者情報を管理する加入者情報管理方法、加入者情報管理システム及びセンサデータ収集システムを提供することができる。
【図面の簡単な説明】
【００１７】
【図１】本発明の第１の実施の形態に係わるデータ収集システムの構成を示す構成図である。
【図２】本発明の第１の実施の形態に係わる、加入者別の端末識別子／加入者識別子対応情報テーブルTBL1の構成を示す図である。
【図３】本発明の第１の実施の形態に係わる、加入者別の携帯電話番号（MSISDN）情報テーブルTBL2の構成を示す図である。
【図４】本発明の第１の実施の形態に係わる通信状態管理テーブルTBL3の構成を示す図である。
【図５】本発明の第１の実施の形態に係わる、加入者識別子毎の、携帯電話番号（MSISDN）割当情報テーブルTBL4の構成を示す図である。
【図６】本発明の第１の実施の形態に係わる、端末装置１１の制御部２３の実行する計測データ送信プログラムの処理の流れの例を示すフローチャートである。
【図７】本発明の第１の実施の形態に係わる動的紐付け制御部５１の処理の流れの例を示すフローチャートである。
【図８】本発明の第１の実施の形態に係わる、加入者識別子（IMSI）と未使用の携帯電話番号（MSISDN）との紐付け処理の結果の携帯電話番号割当テーブルTBL4の状態の例を示す図である。
【図９】本発明の第１の実施の形態に係わる、データ収集サーバ１２のデータ収集処理の流れの例を示すフローチャートである。
【図１０】本発明の第２の実施の形態に係わるデータ収集システムの構成を示す構成図である。
【図１１】本発明の第２の実施の形態に係わる、加入者の端末識別子別のスリープ終了時刻情報テーブルTBL5の構成を示す図である。
【図１２】本発明の第２の実施の形態に係わる、端末装置１１の制御部２３の電源オン時の処理の流れの例を示すフローチャートである。
【図１３】本発明の第２の実施の形態に係わる、端末装置１１Aの制御部２３の実行する計測データ送信プログラムの処理の流れの例を示すフローチャートである。
【図１４】本発明の第２の実施の形態に係わる、データ収集サーバ１２Aのデータ収集処理の流れの例を示すフローチャートである。
【発明を実施するための形態】
【００１８】
以下、図面を参照して本発明の実施の形態を説明する。
（第１の実施の形態）
（構成）
図１は、本実施の形態に係わるデータ収集システムの構成を示す構成図である。データ収集システム１は、複数の端末装置１１と、センタ装置であるデータ収集サーバ１２とを含んで構成されるセンサデータ収集システムである。複数の端末装置１１と、データ収集サーバ１２は、無線電話ネットワークである携帯電話網１３を介して接続可能となっている。後述するように、各端末装置１１は、携帯電話網を利用して、センサデータである計測データを送信し、データ収集サーバ１２が各端末装置１１からの計測データを収集する。
【００１９】
各端末装置１１は、センサを含むセンサ部２１と、SIMカードを有する通信モジュール部２２と、制御部２３を有する。センサ部２１は、制御部２３と接続されている。  
センサ部２１は、物理的な値、化学的な値などを計測したり、所定の事象の発生を検出したり、あるいは所定の情報を取得したりするためのセンサを含む。端末装置１１に搭載あるいは接続されるセンサとしては、収集すべきデータを測定するためのセンサであればよく、使用電力量を計測するスマートメータ、気温を測定する温度センサ、日照時間を測定するセンサ、土壌中の酸性度を測定するセンサ、火災を検知する火災報知器、GPSの位置センサ等のセンサでもよい。  
以下の説明では、センサ部２１は、物理的な値を計測するセンサを有するものとして説明する。
【００２０】
通信モジュール部２２は、携帯電話網のための無線基地局４０と通信するための通信部であり、加入者に関する情報が記録されているチップを有するカードであるSIMカード２２ａを搭載している。加入者に関する情報は、IMSI（International Mobile Subscriber Identity）を含む。
【００２１】
制御部２３は、中央処理装置（以下、CPUという）、ROM、RAM等を有している。さらに、制御部２３は、書き換え可能な不揮発性メモリであるフラッシュメモリ２３ａを有している。制御部２３は、センサ部２１の出力信号を受けて、計測データを生成し、通信モジュール部２２へ供給する。通信モジュール部２２は、制御部２３の制御の下、計測データを、データ収集サーバ１２へ送信する機能を有する。
【００２２】
ROMには、端末装置１１の全体の動作を制御するプログラムが格納されており、フラッシュメモリ２３ａには、計測データを送信する計測データ送信プログラムが格納されており、CPUにより読み出されて実行可能となっている。後述するように、フラッシュメモリ２３ａに記憶されるプログラムは、削除、追加、更新が可能となっている。
【００２３】
各端末装置１１は、所定の条件に応じて、携帯電話網１３への接続要求を送信して、計測データの送信を行う。計測データの送信条件は、予め決められており、計測データ送信プログラムに記述されている。送信条件は、例えば、計測データが所定の閾値に達した場合、前回の送信時間から所定の時間が経過した場合、等である。
【００２４】
また、送信される計測データの形式も、予め決められており、計測データ送信プログラムに記述されている。送信される計測データは、データの送信時におけるセンサの測定値自体、前回の送信後から今回送信するまでの期間内に蓄積した測定値の蓄積データ、測定値に対して所定の演算処理が行われた演算結果データ（例えば、移動平均など）、等である。
【００２５】
よって、各端末装置１１は、携帯電話のパケット通信機能を有してセンサデータを送信する端末装置であり、制御部２３は、センサ部２１から計測データを取得し、所定の送信条件に合致すると、計測データを生成して、生成した計測データを、通信モジュール部２２を用いて、データ収集サーバ１２へ送信する。
【００２６】
データ収集サーバ１２は、制御部３１と記憶装置３２を有する。制御部３１は、中央処理装置（以下、CPUという）、ROM、RAM等を有している。データ収集サーバ１２は、各端末装置１１から送信された計測データを収集し、記憶装置３２に記録する。よって、データ収集サーバ１２は、各端末装置１１からのセンサデータを、携帯電話網１３を介して収集するデータ収集装置を構成する。
【００２７】
複数の端末装置１１とデータ収集サーバ１２間は、携帯電話網１３を介して接続されているが、携帯電話網１３は、種々の装置から構成されている。従って、データ収集システム１は、携帯電話のパケット通信機能を有する複数の端末装置１１からのセンサデータを、携帯電話網１３を介して、収集するセンサデータ収集システムである。  
図１に示すように、携帯電話網１３は、複数の無線基地局４０、基地局制御装置（RNC）４１、加入者パケット交換機（SGSN）４２、加入者管理サーバ（HLR）４３と、中継パケット交換機（GGSN）４４、加入者管理サーバ（HLR）４５と、認証認可課金サーバ（AAA）４６とを含んで構成されている。
【００２８】
無線基地局４０は、自己の無線通信可能領域内の１又は２以上の携帯電話と無線通信するためのBTS（Base Transceiver Station）である。よって、各端末装置１１は、近傍に存在する無線基地局４０と無線通信可能である。
【００２９】
無線基地局４０は、基地局制御装置４１と接続されている。基地局制御装置４１は、例えばRNC（Radio Network Controller）であり、無線基地局４０と既存のネットワークとの中継機能を有する装置である。基地局制御装置４１は、加入者パケット交換機４２と接続されている。
【００３０】
加入者パケット交換機４２は、SGSN（Serving GPRS Support Node）であり、端末装置１１の移動管理などを行う装置である。加入者パケット交換機４２は、加入者管理サーバ（HLR）４４と中継パケット交換機４４とに接続されている。
【００３１】
無線基地局４０，基地局制御装置４１、加入者パケット交換機４２及び加入者管理サーバ４３は、移動体通信事業者（MNO:Mobile Network Operator）が管理する装置群である。なお、図示しないが、移動体通信事業者（MNO）が管理する装置群には、認証認可課金サーバなども含まれている。
【００３２】
中継パケット交換機４４、加入者管理サーバ４５及び認証認可課金サーバ４６は、移動体通信事業者（MNO）若しくは仮想移動体通信事業者（MVNO:Mobile Virtual Network Operator）が管理する装置群である。  
中継パケット交換機４４は、GGSN（Gateway GPRS Support Node）であり、無線通信のネットワークと、外部のネットワークとの間でのゲートウエイとしての装置である。  
中継パケット交換機４４は、加入者管理サーバ４５と、認証認可課金サーバ４６と、データ収集サーバ１２とに接続されている。
【００３３】
加入者管理サーバ４３，４５は、HLR（Home Location Register）であり、携帯電話の加入者の携帯電話番号（MSISDN）と加入者識別子（IMSI）との対応関係情報を有して通信の接続を管理する装置である。
【００３４】
端末装置１１からのパケット通信の接続要求であるアタッチ要求は、無線基地局４０と基地局制御装置４１を介して、加入者パケット交換機４２と中継パケット交換機４４とに供給される。  
加入者管理サーバ４３は、移動体通信事業者（MNO）の加入者の携帯電話からの接続要求であるアタッチ要求を受信すると、加入者であるか否かを判定し、加入者である場合は、通話あるいは通信のための携帯電話網１３への接続を許可する旨の情報を、加入者パケット交換機４２へ出力し、加入者でない場合は、携帯電話網１３への接続を許可しない旨の情報を、加入者パケット交換機４２へ出力する。
【００３５】
仮想移動体通信事業者（MVNO）の加入者の端末装置１１の通信モジュール部２２からの接続要求は、無線基地局４０と基地局制御装置４１と加入者パケット交換機４２と中継パケット交換機４４を介して、加入者管理サーバ４５に入力される。加入者管理サーバ４５は、仮想移動体通信事業者（MVNO）の加入者の端末装置１１の通信モジュール部２２からの接続要求を受信すると、加入者であるか否かを判定し、加入者である場合は、通話あるいは通信のための携帯電話網１３への接続を許可する旨の情報を、中継パケット交換機４４へ出力し、加入者でない場合は、携帯電話網１３への接続を許可しない旨の情報を、中継パケット交換機４４へ出力する。
【００３６】
すなわち、端末装置１１から接続要求であるアタッチ要求が送信され、加入者パケット交換機４２を介して中継パケット交換機４４に入力されると、中継パケット交換機４４は、アタッチ要求を加入者管理サーバ４５に送信する。加入者管理サーバ４５が、アタッチ要求に含まれる加入者識別子（IMSI）に基づいて、接続の可否を判定し、接続可能であると、端末装置１１へ接続許可メッセージを送信し、かつ中継パケット交換機４４に対して、データ収集サーバ１２が接続されたネットワークへのアタッチ要求を送信した端末装置１１の接続指示を行う。その結果、端末装置１１とデータ収集サーバ１２間でのパケット通信が可能となる。
【００３７】
加入者管理サーバ４５は、データ収集サーバ１２とも接続されており、データ収集サーバ１２と通信できるようになっている。後述するように、加入者管理サーバ４５は、データ収集サーバ１２から通信の終了の情報を得る。
【００３８】
認証認可課金サーバ４６は、AAA（Authentication Authorization Accounting）サーバであり、中継パケット交換機４４と加入者管理サーバ４５とに接続されており、加入者の認証、アクセス要求確認、ユーザアカウント情報を管理する装置である。  
なお、図示しない課金システムが、加入者管理サーバ４５と、認証認可課金サーバ４６とに接続され、課金処理を行う。
【００３９】
仮想移動体通信事業者（MVNO）の加入者管理サーバ４５は、制御部４５ａと、メモリ部４５ｂとを有する。加入者管理サーバ４５は、さらに動的紐付け制御部５１を含む。動的紐付け制御部５１は、１つのグループを形成する複数の加入者識別子（IMSI）間で、１つあるいは２以上の呼び出し番号（以下、携帯電話番号という）（MSISDN）を使い回すように、各加入者識別子と各携帯電話番号との対応付けの変更制御を行う処理プログラムを含む処理部である。
【００４０】
メモリ部４５ｂは、動的紐付け制御部５１の処理に必要な、後述する各種テーブルデータを含んでいる。  
動的紐付け制御部５１は、変更制御プログラムを、メモリ部４５ｂから読み出して、RAM（図示せず）上に展開して実行する。
【００４１】
なお、ここでは、加入者管理サーバ４５が動的紐付け制御部５１を含んでいるが、図１において二点鎖線で示すように、動的紐付け制御部５１を、加入者管理サーバ４５に接続された別のサーバに設け、その別のサーバの制御部により実行させて、その実行結果を加入者管理サーバ４５に伝えるようにしてもよい。  
さらになお、図１において二点鎖線で示すように、動的紐付け制御部５１を、移動体通信事業者（MNO）の加入者管理サーバ４３に設けるようにしてもよい。
【００４２】
動的紐付け制御部５１は、各種テーブルを参照あるいは更新しながら、各加入者識別子と各携帯電話番号との対応付けの変更制御を行う。図２から図５は、その参照あるいは更新されるテーブルの例を示す。  
図２は、加入者別の端末識別子／加入者識別子対応情報テーブル（以下、加入者・端末対応テーブルという）TBL1の構成を示す図である。  
加入者・端末対応テーブルTBL1は、携帯電話の契約者である加入者毎の、端末識別子（IMEI）と加入者識別子（IMSI）との対応情報を記憶するテーブルである。ここでは、説明の簡単のために、図２の場合、３名の加入者A,B,Cのそれぞれについて、端末識別子（IMEI）と加入者識別子（IMSI）が複数登録されている。
【００４３】
図２は、携帯電話網１３の利用のための契約により、加入者Aについては、３台の端末装置１１用の端末識別子（IMEI）と加入者識別子（IMSI）の情報が１つのグループとして登録され、加入者Bについては、３台の端末装置１１用の端末識別子（IMEI）と加入者識別子（IMSI）の情報が１つのグループとして登録され、加入者Cについては、ｎ台の端末装置１１用の端末識別子（IMEI）と加入者識別子（IMSI）の情報が１つのグループとして登録されていることを、示している。
【００４４】
すなわち、加入者・端末対応テーブルTBL1は、グループ毎に携帯電話網１３への１又は２以上の加入者が割り当てられた複数のグループについての携帯電話の端末識別子情報（IMEI）と加入者識別子情報（IMSI）を登録し、かつ複数のグループのうち少なくとも１つのグループは２以上の携帯電話の端末識別子情報（IMEI）と加入者識別子情報（IMSI）とを含む、加入者識別子情報登録部を構成する。
【００４５】
図３は、加入者別の携帯電話番号（MSISDN）情報テーブル（以下、加入者・携帯電話番号対応テーブルという）TBL2の構成を示す図である。  
加入者・携帯電話番号対応テーブルTBL2は、加入者毎の、割り当てられた呼び出し番号である携帯電話番号（MSISDN）を記憶するテーブルである。図３に示すように、加入者毎に、１又は２以上の携帯電話番号（MSISDN）が割り当てられている。
【００４６】
図３は、携帯電話網１３の利用のための契約により、加入者Aについては、１つの携帯電話番号（MSISDN）が登録され、加入者Bについては、２つの携帯電話番号（MSISDN）が登録され、加入者Cについては、１つの携帯電話番号（MSISDN）が登録されていることを、示している。  
すなわち、加入者・携帯電話番号対応テーブルTBL2は、各グループに割り当てられた１又は２以上呼び出し番号情報（MSISDN）を登録する加入者呼び出し番号情報登録部を構成する。
【００４７】
図２と図３の２つのテーブルは、加入者Aについては、３台の端末装置１１からなるグループに対して１つの携帯電話番号（MSISDN）が利用可能であり、加入者Bについては、３台の端末装置１１からなるグループに対して２つの携帯電話番号（MSISDN）が利用可能であり、加入者Cについては、ｎ台の端末装置１１からなるグループに対して１つの携帯電話番号（MSISDN）が利用可能であることを示している。
【００４８】
図４は、通信状態管理テーブルTBL3の構成を示す図である。  
通信状態管理テーブルTBL3は、呼び出し番号である携帯電話番号（MSISDN）毎に、通信状態（すなわち使用中の状態であるか未使用の状態であるか）を管理するための示す通信状態情報を格納するテーブルである。使用中の携帯電話番号（MSISDN）については、「使用中」の情報が格納され、未使用の携帯電話番号（MSISDN）については、「未使用」の情報が格納される。なお、「使用中」と「未使用」の情報とに代えて、「１」又は「０」等のフラグ情報を、通信状態情報として、用いても良い。
【００４９】
よって、通信状態管理テーブルTBL3は、呼び出し番号情報（MSISDN）毎の携帯電話網の回線の使用状況を登録する呼び出し番号使用状態登録部を構成する。  
各携帯電話番号が使用中であるか否かは、加入者管理サーバ４５の制御部４５ａにより、中継パケット交換機４４の動作情報に基づいて、リアルタイムで更新される。
【００５０】
なお、ここでは、各加入者が１つのグループのみ有しているが、各加入者が複数のグループを有し、各グループについて１又は２以上の端末装置１１の端末識別子（IMEI）と加入者識別子（IMSI）の情報を登録して、各グループに、１又は２以上の携帯電話番号（MSISDN）を割り当てるようにしてもよい。
【００５１】
図５は、加入者識別子毎の、携帯電話番号（MSISDN）割当情報テーブル（以下、携帯電話番号割当テーブルという）TBL4の構成を示す図である。  
携帯電話番号割当テーブルTBL4は、携帯電話番号（MSISDN）が割り当てられている加入者識別子（IMSI）を格納するテーブルである。
【００５２】
図５の携帯電話番号割当テーブルTBL4には、加入者識別子（IMSI）毎に、携帯電話番号（MSISDN）の割り当て情報が格納されている。例えば、加入者識別子（IMSI）「aa1」には、携帯電話番号（MSISDN）の割り当て情報として、「0A0-aaaa-aaaa」が格納され、加入者Aの他の加入者識別子（IMSI）「aa2」、「aa3」には、割り当て情報が格納されていない。携帯電話番号（MSISDN）の割り当てられている加入者識別子（IMSI）の端末装置１１は、割り当てられている携帯電話番号（MSISDN）を用いて、携帯電話網１３を利用した通信をすることができる。携帯電話番号（MSISDN）の割り当てられていない加入者識別子（IMSI）の端末装置１１（割り当て情報が「−」の加入者識別子（IMSI）の端末装置）は、自己のグループに割り当てられている携帯電話番号（MSISDN）を用いて、携帯電話網１３を利用した通信をすることができない。
（作用）
次に、データ収集システム１の動作について説明する。
【００５３】
図６は、端末装置１１の制御部２３の実行する計測データ送信プログラムの処理の流れの例を示すフローチャートである。図６の計測データ送信プログラムは、フラッシュメモリ２３ａから読み出されて、CPUにより実行される。
【００５４】
制御部２３は、予め決められた送信条件が満たされて、計測データを送信する必要があるか否かを判定する（Ｓ１）。  
予め決められた送信条件は、例えば、計測データの値が所定の閾値に達した場合に計測データを送信するという条件、所定の時間間隔で計測データを送信するという条件である。
【００５５】
予め決められた送信条件が満たされず、計測データを送信する必要がなければ（S1:NO）、処理は、何もしない。  
予め決められた送信条件が満たされ、計測データを送信する必要がある場合（S1:YES）、制御部２３は、通信モジュール部２２を介して、パケット通信のためのアタッチ要求を送信する（S2）。このアタッチ要求は、加入者識別子（IMSI）の情報を含み、近傍の無線基地局４０から携帯電話網１３に伝えられる。
【００５６】
このアタッチ要求は、加入者管理サーバ４５により、接続を許可するか否かが判定され、その結果、接続が許可されれば、加入者管理サーバ４５は、許可通知メッセージ、例えば「success」メッセージを、アタッチ要求を送信した端末装置１１へ送信する。よって、制御部２３は、許可通知メッセージ、例えば「success」メッセージの受信の可否に基づいて、接続が許可されたか否かを判定する（S3）。
【００５７】
許可されなければ（S3:NO）、アタッチ要求送信のリトライ処理が実行されるように、処理は、S1へ戻る。
許可されると（S3:YES）、制御部２３は、センサ部２１からデータを取得して、所定の形式で、計測データを生成して、通信モジュール部２２を介して送信する（S4）。そして、計測データの送信が終了すると、EOTの送信、関連するタイマーのクリア、通信モジュール部２２への通知などの通信終了処理を実行して（S5）、処理は、終了する。
【００５８】
図７は、動的紐付け制御部５１の処理の流れの例を示すフローチャートである。図７の処理は、加入者管理サーバ４５の制御部４５ａが、動的紐付け制御部５１の処理プログラムを読み出して実行することによって行われる。
【００５９】
制御部４５ａは、アタッチ要求を受信したか否かを判定する（S11）。端末装置１１からアタッチ要求が送信されると、加入者パケット交換機４２及び中継パケット交換機４４を経由して、加入者管理サーバ４５に入力されるので、制御部４５ａは、アタッチ要求の有無を判定することができる。アタッチ要求が受信されなければ（S1:NO）、処理は何もしない。  
アタッチ要求が受信されると（S1:YES）、制御部４５ａは、アタッチ要求が登録された加入者識別子（IMSI）の端末装置１１からの要求であるか否かを判定する（S12）。
【００６０】
この判定は、アタッチ要求に含まれる加入者識別子（IMSI）の情報から、メモリ部４５ｂに記憶された加入者・端末対応テーブルTBL1（図２）を参照して、アタッチ要求が登録された加入者識別子（IMSI）が、加入者・端末対応テーブルTBL1にあるか否かをチェックすることにより、行うことができる。  
S12による判定の結果、アタッチ要求が、加入者・端末対応テーブルTBL1に登録された加入者識別子（IMSI）の端末装置１１からの要求であるか否かが判定される（S13）。
【００６１】
アタッチ要求が、登録された加入者識別子（IMSI）の端末装置１１からの要求でなければ（S13:NO）、動的紐付け制御部５１は、アタッチ要求を却下するメッセージを送信して（S14）、処理は終了する。
【００６２】
アタッチ要求が、登録された加入者識別子（IMSI）の端末装置１１からの要求であるとき（S13:YES）、制御部４５ａは、携帯電話番号（MSISDN）に空きがあるか否かを判定する（S15）。すなわち、アタッチ要求を送信した端末装置１１（すなわち加入者識別子（IMSI））の属するグループに、未使用の携帯電話番号（MSISDN）があるか否かが判定される。
【００６３】
S15の判定処理は、メモリ部４５ｂに記憶された、加入者・携帯電話番号対応テーブルTBL2（図３）、通信状態管理テーブルTBL3（図４）及び携帯電話番号割当テーブルTBL4（図５）を参照することによって、行うことができる。
【００６４】
例えば、アタッチ要求を送信した加入者識別子（IMSI）から、アタッチ要求が加入者Aの端末装置１１からの要求であると判定されたとき、加入者Aについて、加入者・携帯電話番号対応テーブルTBL2（図３）により、１つの携帯電話番号（MSISDN）が特定される。特定されたその携帯電話番号（MSISDN）が使用中であるか否かは、通信状態管理テーブルTBL3（図４）を参照することによって判定され、使用中すなわち通信中であれば、S15の判定処理で、空きはなし、と判定される（S15:NO）。もしも、特定されたその携帯電話番号（MSISDN）が使用中でなければ、S15の判定処理で、空きがあり、と判定される（S15:YES）。空きがなしと判定されると（S15:YES）、処理は、S14へ移行する。
【００６５】
さらに例えば、アタッチ要求を送信した加入者識別子（IMSI）から、アタッチ要求が加入者Bの端末装置１１からの要求であると判定されたとき、加入者Bについて、加入者・携帯電話番号対応テーブルTBL2（図３）により、２つの携帯電話番号（MSISDN）が特定される。特定された２つの携帯電話番号（MSISDN）が使用中であるか否かは、通信状態管理テーブルTBL3（図４）を参照することによって判定され、２つとも使用中であれば、S15の判定処理で、空きはなし（S15:NO）、と判定される。もしも、特定されたその２つの携帯電話番号（MSISDN）の１つでも使用中でなければ、S15の判定処理で、空きがあり、と判定される（S15:YES）。
【００６６】
すなわち、アタッチ要求を受信すると、制御部４５ａは、そのアタッチ要求を送信した端末装置１１の加入者識別子（IMSI）の属するグループについて契約した１又は２以上の携帯電話番号（MSISDN）の中に使用可能な携帯電話番号（MSISDN）の有無（すなわち、空きの有無）を判定する。
【００６７】
空きがありと判定されると（S15:YES）、制御部４５ａは、未使用の携帯電話番号（MSISDN）と加入者識別子（IMSI）との紐付け処理を行う（S16）。その結果、アタッチ要求を送信した加入者識別子（IMSI）と未使用の携帯電話番号（MSISDN）とを紐付け、携帯電話番号割当テーブルTBL4（図５）の対応する加入者識別子（IMSI）の携帯電話番号（MSISDN）の情報を更新する。
【００６８】
すなわち、アタッチ要求を送信した加入者識別子（IMSI）と、加入者Aのグループに割り当てられている携帯電話番号（MSISDN）（未使用）とが紐付けられる。具体的には、携帯電話番号割当テーブルTBL4（図５）中のアタッチ要求を送信した加入者識別子（IMSI）に未使用の携帯電話番号（MSISDN）が割り当てられ、それまで割り当てられていた加入者識別子（IMSI）の携帯電話番号（MSISDN）の割り当て情報が削除される。
【００６９】
例えば、アタッチ要求が加入者Aの端末装置１１からの要求であるとき、アタッチ要求を送信した加入者識別子（IMSI）「aa2」と、未使用の携帯電話番号（MSISDN）「0A0-aaaa-aaaa」とが紐付けられ、携帯電話番号割当テーブルTBL4（図５）中の加入者識別子（IMSI）「aa2」に、割り当て情報として「0A0-aaaa-aaaa」が書き込まれ、それまで携帯電話番号（MSISDN）「0A0-aaaa-aaaa」が割り当てられていた加入者識別子（IMSI）「aa1」の割り当て情報が削除される。
【００７０】
図８は、加入者識別子（IMSI）と未使用の携帯電話番号（MSISDN）との紐付け処理の結果の携帯電話番号割当テーブルTBL4の状態の例を示す図である。図８において点線で示すように、加入者Aの加入者識別子（IMSI）「aa2」の携帯電話番号（MSISDN）に、それまで加入者識別子（IMSI）「aa1」に紐付けられていた「0A0-aaaa-aaaa」が割り当て情報として書き込まれ、加入者識別子（IMSI）「aa1」の割り当て情報が削除されている。
【００７１】
同様に、例えば、アタッチ要求が加入者Bの端末装置１１からの要求であるとき、アタッチ要求を送信した加入者識別子（IMSI）「bb3」の携帯電話番号（MSISDN）と、未使用の携帯電話番号（MSISDN）「0B0-bbbb-bbb2」とを紐付け、図８において点線で示すように、携帯電話番号割当テーブルTBL4（図５）中の加入者識別子（IMSI）「bb3」の携帯電話番号（MSISDN）に、割り当て情報として「0B0-bbbb-bbb2」が書き込まれ、それまで携帯電話番号（MSISDN）「0B0-bbbb-bbb2」が割り当てられていた加入者識別子（IMSI）「bb2」の割り当て情報が削除される。
【００７２】
なお、図１において２点鎖線で示すように、動的紐付け制御部５１が、加入者管理サーバ４５に接続された別のサーバに設けられている場合は、動的紐付け制御部５１は、紐付けた未使用の携帯電話番号（MSISDN）と加入者識別子（IMSI）との組み合わせ情報を、加入者管理サーバ４５に送信して、加入者管理サーバ４５の携帯電話番号割当テーブル（図５の携帯電話番号割当テーブルTBL4と同様のテーブル）を更新させる。  
S16の処理後、制御部４５ａは、アタッチ要求を送信した加入者識別子（IMSI）の端末装置１１へ、要求許可を送信する（S17）。
【００７３】
要求許可を受信した端末装置１１は、計測データの送信処理（S4）のためのパケット通信を実行する。このときに、計測データが、端末装置１１からデータ収集サーバ１２へ送信される。
【００７４】
すなわち、制御部４５ａと動的紐付け制御部５１は、加入者情報を管理する加入者管理装置である加入者管理サーバ４５における加入者識別子情報（IMSI）と呼び出し番号情報（MSISDN）との対応付けを、加入者識別子情報登録部である加入者・端末対応テーブルTBL1（図２）と、加入者呼び出し番号情報登録部である加入者・携帯電話番号対応テーブルTBL2（図３）と、呼び出し番号使用状態登録部である通信状態管理テーブルTBL３（図４）とに基づいて、動的に変更することにより、携帯電話網１３を介して各端末装置１１からデータ収集装置であるデータ収集サーバ１２へセンサデータを送信するように制御する制御部を構成する。
【００７５】
特に、携帯電話網１３への接続要求を送信した端末装置１１の属するグループに割り当てられた呼び出し番号情報（MSISDN）の回線の使用状況に基づいて、接続要求を送信した端末装置に回線を割り当てるように、加入者識別子情報（IMSI）と呼び出し番号情報（MSISDN）とを対応付けることにより、対応付けが動的に変更される。
【００７６】
制御部４５ａは、その通信が終了したか否かを判定し（S18）、通信が終了しなければ（S18:NO）、処理は、何もせず、通信が終了すると、終了処理を実行する（S19）。通信が終了した旨のメッセージがデータ収集サーバ１２から加入者管理サーバ４５へ送信されるので、動的紐付け制御部５１は、通信の終了を判定することができる。  
S19の終了処理には、制御部４５ａが、通信状態管理テーブルTBL3（図４）における、通信の終了した携帯電話番号（MSISDN）の通話状態情報を「使用中」から「未使用」に更新する処理が含まれる。
【００７７】
なお、上記の例では、加入者管理サーバ４５に動的紐付け制御部５１が含まれているが、動的紐付け制御部５１が加入者管理サーバ４５とは別のサーバに含まれている場合は、動的紐付け制御部５１は、加入者管理サーバ４５が有する加入者識別子（IMSI）と携帯電話番号（MSISDN）の管理テーブル（例えば、図５の携帯電話番号割当テーブルTBL4のようなテーブル）の情報を書き換える。
【００７８】
次に、データ収集サーバ１２の処理について説明する。  
図９は、データ収集サーバ１２のデータ収集処理の流れの例を示すフローチャートである。図９の処理は、データ収集サーバ１２の制御部３１のCPUによって実行される。
【００７９】
制御部３１は、各端末装置１１からの計測データを、中継パケット交換機４４から受信するので、制御部３１は、計測データを受信したか否かを判定する（S21）。計測データを受信しなければ（S21:NO）、処理は何もしない。
【００８０】
計測データを受信すると（S21:YES）、制御部３１は、データ受信処理を実行し（S22）、データ受信が終了したか否かを判定する（S23）。データ受信が終了しなければ（S23:NO）、制御部３１は、データ受信処理を継続する（S22）。
【００８１】
計測データの受信が終了すると（S23:YES）、制御部３１は、加入者管理サーバ４５に、通信の終了を通知する（S24）。上述したように、加入者管理サーバ４５は、通信が終了した旨のメッセージを受信すると、通信が終了したと判定する（S18:YES)。
【００８２】
なお、各端末装置１１のフラッシュメモリ２３ａに記憶された計測データ送信プログラムの更新、一部追加、一部削除は、通信の終了を通知するときに一緒に、データ収集サーバ１２が通信中の端末装置１１へ更新プログラムを送信することによって行われる。  以上のように、本実施の形態のデータ収集システム１によれば、各端末装置１１が計測データの送信をする必要があるときのみデータ通信を行う、いわゆるイベントドリブン型の通信を利用し、かつ簡単な機構によりグループ内で１又は２以上の携帯電話番号（MSISDN）を使い回しするので、携帯電話網１３の回線の基本使用料の大幅な低減を図ることができる。
【００８３】
よって、上述した本実施の形態によれば、複数の端末装置間で通信するための同期のための複雑な制御が不要な、携帯電話の通信機能を有する複数の端末装置の加入者情報を管理する加入者情報管理方法、加入者情報管理システム及び計測データ収集システムを提供することができる。
（第２の実施の形態）
第１の実施の形態では、端末装置１１が、所定の条件が満たされると計測データをデータ収集サーバ１２へ送信しているが、第２の実施の形態では、端末装置は、データ収集サーバにより指示された時間あるいは時刻に、計測データを送信する。
（構成）
図１０は、第２の実施の形態に係わるデータ収集システムの構成を示す構成図である。データ収集システム１Aは、複数の端末装置１１Aと、センタ装置であるデータ収集サーバ１２Aとを含んで構成されている。
【００８４】
本実施の形態において、第１の実施の形態のデータ収集システム１と同じ構成要素については、同じ符号を付して説明は省略し、構成の異なる点を説明する。複数の端末装置１１Aと、データ収集サーバ１２Aは、無線電話ネットワークである携帯電話網１３を介して接続可能となっている。
【００８５】
データ収集サーバ１２Aは、各端末装置１１Aがセンサデータを送信する時間を管理する時間管理部を有し、各端末装置１１Aは、データ収集サーバ１２Aにより指定された時に、携帯電話網１３への接続要求を送信して、センサデータの送信を行う。
【００８６】
そのため、各端末装置１１は、センサ部２１、通信モジュール部２２及び制御部２３に加えて、時計部２４を有する。時計部２４は、タイマーを有し、後述するように、データ収集サーバ１２Aから指示された時間をカウントする機能を有する。時計部２４は、ハードウエア回路で実現してもよいし、ソフトウエアで実現してもよい。
【００８７】
データ収集サーバ１２Aは、制御部３１及び記憶装置３２に加えて、時計部３３を有する。時計部３３は、タイマー及び計時部を有し、後述するように、各端末装置１１Aが計測データを送信する時刻を管理する。制御部３１と時計部３３が、各端末装置１１Aがセンサデータを送信する時間を管理する時間管理部を構成する。
【００８８】
図１１は、加入者の端末識別子別のスリープ終了時刻情報テーブル（以下、スリープ終了時刻テーブルという）TBL5の構成を示す図である。  
スリープ終了時刻テーブルTBL5は、携帯電話の加入者の加入者端末識別子（IMEI）毎のスリープ終了時刻を記憶するテーブルであり、記憶装置３２に記憶されている。ここでは、スリープ終了時刻は、年月日と時分秒で設定される。
（作用）
次に、データ収集システム１Aの動作について説明する。
【００８９】
図１２は、端末装置１１の制御部２３の電源オン時の処理の流れの例を示すフローチャートである。図１２の処理プログラムは、フラッシュメモリ２３ａに格納されており、端末装置１１Aの電源がオンされると、制御部２３のCPUにより読み出されて実行される。
【００９０】
端末装置１１Aの電源がオンされると、制御部２３は、通信モジュール部２２を介して、アタッチ要求を送信する（S31）。このアタッチ要求は、加入者識別子（IMSI）の情報を含み、近傍の無線基地局４０から携帯電話網１３に伝えられる。
【００９１】
このアタッチ要求は、加入者管理サーバ４５により、接続を許可するか否かが判定され、その結果、接続が許可されれば、制御部２３は、許可通知メッセージを受信するので、接続が許可されたか否かを判定する（S32）。  
許可されなければ（S32:NO）、アタッチ要求送信のリトライ処理が実行されるように、処理は、S31へ戻る。
【００９２】
許可されると（S32:YES）、制御部２３は、時刻同期要求メッセージを送信する（S33）。この時刻同期要求メッセージは、所定の形式のメッセージであり、データ収集サーバ１２Aは、この時刻同期要求メッセージを受信すると、後述するように、所定の時刻同期処理を実行する。
【００９３】
時刻同期要求メッセージの送信後、制御部２３は、所定の応答があるか否かを判定する（S34）。所定の応答がなければ（S34:NO）、所定の応答を受信するまで何も処理はしない。
【００９４】
所定の応答を受信すると（S34:YES）、制御部２３は、スリープ時間要求メッセージを送信する（S35）。スリープ時間要求メッセージは、端末装置１１Aが、計測データを次に送信するまでの時間間隔の情報を要求するコマンドメッセージである。
【００９５】
制御部２３は、スリープ時間情報を受信し（S36）、その受信したスリープ時間情報に基づいて、時計部２４のタイマーを設定し（S37）、通話終了処理を実行して（S38）、処理は、終了する。
【００９６】
図１３は、端末装置１１Aの制御部２３の実行する計測データ送信プログラムの処理の流れの例を示すフローチャートである。図１３において、図６と図１２と同じ処理については、同じステップ番号を付して説明は簡略にする。図１３の計測データ送信プログラムは、フラッシュメモリ２３ａに格納されており、制御部２３のCPUにより読み出されて実行される。
【００９７】
制御部２３は、計測データを送信する時刻になったか否かを判定する（S41）。S51の判定は、時計部２４のタイマーがタイムアップしたか否かによって判定される。計測データを送信する時刻になっていなければ（S41:NO）、処理は、何もしない。
【００９８】
計測データを送信する時刻になると（S41:YES）、制御部２３は、アタッチ要求を送信し（S2）、接続の許可が得られれば（S3:YES）、計測データの送信を行う（S4）。許可されなければ（S3:NO）、アタッチ要求送信のリトライ処理が実行されるように、処理は、S41へ戻る。
【００９９】
計測データの送信後、制御部２３は、時刻同期要求メッセージを送信し（S33）、所定の応答を受信すると（S34:YES）、スリープ時間要求を送信する（S35）。スリープ時間情報を受信すると（S36）、制御部２３は、受信したスリープ時間情報に含まれるスリープ時間にタイマーを設定し（S37）、通信処理を終了する（S5）。
【０１００】
次に、データ収集サーバ１２Aの処理について説明する。  
図１４は、データ収集サーバ１２Aのデータ収集処理の流れの例を示すフローチャートである。図１４において、図９と同じ処理については、同じステップ番号を付して説明は簡略にする。
【０１０１】
データ収集サーバ１２Aは、各端末装置１１Aからの計測データあるいは時刻同期要求メッセージを受信する。よって、制御部３１は、計測データを受信したか否かを判定し（S21）、計測データを受信しなければ（S21:NO）、処理はS51へ移行する。
【０１０２】
計測データを受信すると（S21:YES）、制御部３１は、データ受信処理を実行し（S22）、データ受信が終了したか否かを判定する（S23）。データ受信が終了しなければ（S23:NO）、制御部３１は、データ受信処理を継続する（S22）。
【０１０３】
なお、計測データを受信したとき、制御部３１は、は、スリープ終了時刻テーブルTBL5（図１１）を参照して、計測データを送信した端末装置１１Aの確認をする。すなわち、受信した計測データが、スリープ終了時刻テーブルTBL5に登録された加入者識別子（IMSI）の端末装置１１Aの計測データであるかが確認のためにチェックされる。
【０１０４】
計測データの受信が終了すると（S23:YES）、処理は、S51へ移行する。  
計測データの受信でないとき（S21:NO）及び計測データの受信処理が終了したとき（S23:YES）、所定の応答を送信する所定応答送信処理を実行する（S51)。
【０１０５】
所定応答送信処理後、制御部３１は、端末装置１１Aからの時刻同期要求メッセージの受信に含まれる加入者識別子（IMSI）から、その加入者識別子（IMSI）のグループである加入者グループを確認する（S52）。例えば、図２の場合、加入者識別子（IMSI）が「ａ２」であれば、グループは、加入者（すなわち契約者）「A」のグループであると判別されて、確認される。また、加入者識別子（IMSI）が「ｂ２」であれば、グループは、加入者（すなわち契約者）「Ｂ」のグループであると判別されて、確認される。
【０１０６】
そして、制御部３１は、時刻同期要求メッセージを送信した端末装置１１Aが次に計測データを送信する通信時刻を決定する（S53）。各端末装置１１Aが次に計測データを送信する通信時刻を決定する方法には、種々の方法があるので、いずれの方法を採用してもよい。
【０１０７】
例えば、計測データの送信に使用される携帯電話番号（MSISDN）の総数に基づいて算出された時間間隔、各計測データの所定の送信周期などから、他の端末装置の通信時刻とバッティングしない時刻を選択するように、制御部３１は、各端末装置１１Aが次に計測データを送信する通信時刻を決定する。  
制御部３１は、端末装置１１Aからのスリープ時間要求メッセージの受信を判定し（S54）、スリープ時間要求メッセージを受信しなければ（S54:NO）、処理は何もしない。
【０１０８】
スリープ時間要求メッセージを受信すると（S54:YES）、制御部３１は、決定されたスリープ終了時刻までの現時刻からの時間間隔を、スリープ時間として算出し（S55）、算出したスリープ時間情報を、スリープ時間要求メッセージを送信した端末装置１１Aへ送信するスリープ時間送信処理を実行する（S56）。
【０１０９】
そして、制御部３１は、決定された次の通信時刻情報を、図１１のスリープ終了時刻テーブルTBL5の対応する加入者識別子（IMSI）のスリープ終了時刻として登録するように、スリープ終了時刻テーブルTBL5を更新し（S57）、加入者管理サーバ４５に、通信の終了を通知する（S24）。上述したように、加入者管理サーバ４５は、通信が終了した旨のメッセージを受信すると、通信が終了したと判定する（S18:YES)。
【０１１０】
なお、各端末装置１１Aのフラッシュメモリ２３ａに記憶された計測データ送信プログラムの更新、一部追加、一部削除は、通信の終了を通知するときに一緒に、データ収集サーバ１２が通信中の端末装置１１Aへ更新プログラムを送信することによって行われる。  本実施の形態における動的紐付け制御部５１の処理は、第１の実施の形態の図７に示すフローチャートと同様の処理である。
【０１１１】
本実施の形態の場合、データ収集サーバ１２Aと各端末装置１１Aは、計測データの送信タイミングの同期がとれているので、図７のS15の判断では、「空きがある」（S15:YES）と、必ず判定される。
【０１１２】
以上のように、本実施の形態によれば、第１の実施の形態と同様の効果を有すると共に、各端末装置１１Aは、所定のスケジュールに沿って計測データ送信を行う、いわゆるスケジュール型の通信を利用し、次のデータ送信時まで、無駄なアタッチ要求を送信する必要もなく、かつスリープ期間の間は、使用しない回路等の電源をオフする等できるので、電力消費を低減することができると共に無線網に対する負荷も軽減することができる。
【０１１３】
従って、本実施の形態によれば、複数の端末装置間で通信するための同期のための複雑な制御が不要な、携帯電話の通信機能を有する複数の端末装置の加入者情報を管理する加入者情報管理方法、加入者情報管理システム及び計測データ収集システムを提供することができる。
【０１１４】
なお、上述した２つの実施の形態の変形例として、１つの計測データ収集システムが、第１の実施の形態に示したような、各端末装置からの計測データの送信要求に基づいて計測データを収集するイベントドリブン型の送信方式と、第２の実施の形態に示したような、データ収集サーバが端末装置毎に決定した送信時刻に各端末装置が計測データを送信するスケジュール型の通信方式の両方の方式を含むようにしてもよい。
【０１１５】
その場合、第２の実施の形態の方式がスムーズに機能するように、第２の実施の形態の方式で通信が行われる時間帯を設定し、その設定された時間帯内では、第１の実施の形態の方式の通信が行われないように、時間帯を分けるようにしてもよい。
【０１１６】
本発明は、上述した実施の形態に限定されるものではなく、本発明の要旨を変えない範囲において、種々の変更、改変等が可能である。
【符号の説明】
【０１１７】
１、１A  データ収集システム、１１、１１A  端末装置、１２、１２A  データ収集サーバ、１３  携帯電話網、２１  センサ部、２２  通信モジュール部、２２ａ  SIMカード、２３  制御部、２３ａ  フラッシュメモリ、２４  時計部、３１  制御部、３２  記憶装置、３３  時計部、４０  無線基地局、４１  基地局制御装置、４２  加入者パケット交換機、４３  加入者管理サーバ、４４  中継パケット交換機、４５  加入者管理サーバ、４５ａ  制御部、４５ｂ  メモリ部、４６  認証認可課金サーバ、５１  動的紐付け制御部。
【図１】
2015019154.tif 000003
【図２】
2015019154.tif 000004
【図３】
2015019154.tif 000005
【図４】
2015019154.tif 000006
【図５】
2015019154.tif 000007
【図６】
2015019154.tif 000008
【図７】
2015019154.tif 000009
【図８】
2015019154.tif 000010
【図９】
2015019154.tif 000011
【図１０】
2015019154.tif 000012
【図１１】
2015019154.tif 000013
【図１２】
2015019154.tif 000014
【図１３】
2015019154.tif 000015
【図１４】
2015019154.tif 000016